(57)【特許請求の範囲】
【請求項１】
ａ）  屋外グランド又はコートの再生すべき領域の現場土を掘削する工程と、
ｂ）  前記掘削した現場土に対し、水溶性のアクリル樹脂から成る改良剤と生石灰やセメント等から成る固化剤を添加すると共に、当該掘削現場土は透水保水性能を確保できる粒状にして強度を向上させて再生し、この強度を向上させた再生現場土を、屋外グランド又はコートの前記再生領域に戻して転圧する工程と、
ｃ）  前記再生領域に戻した再生現場土の上面に、焼成混合土又は微粒子調整緑色スクリーニングス等で構成される表層部材を敷き込み転圧して表層部を形成し、表面処理を行って現場土を再生する工程と、
より成ることをそれぞれ特徴とする、屋外グランド類のリニューアル工法。
【発明の詳細な説明】
【０００１】
【発明の属する技術分野】
本発明は、屋外グランド又はコート（以下「屋外グランド類」ということがある。）をリニューアルする工法に係り、さらに云えば、屋外グランド類を補修・改修するに当たり、現場土を可及的に再利用して再生する環境にやさしいリニューアル工法の技術分野に属するものである。
【０００２】
【従来の技術】
屋外グランドやコートが長年月使用され損傷した場合に、補修や改修など改良する方法として、従来は、改良すべき施工現場領域の現場土を掘削し、その掘削した現場土は廃棄物として山や海へ投棄するなどして処分している。また、改良すべき施工現場へ戻す資材としては、山を削って採取した山砂を使用することが頻繁に行われている。
【０００３】
【本発明が解決しようとする課題】
近年では、掘削した施工現場土を処分する場所の確保が困難で、搬送先が遠隔化され、不法投棄されることもしばしばあり、周辺環境への悪影響が懸念され大きな社会問題となってきている。そのため、現場土の受け入れを規制する市町村が多くなってきており、このような現場土の取扱い方法が切実な問題となってきている。
【０００４】
また、施工現場へ戻す資材として、山を削って山砂を使用し続ければ、重大な自然環境の破壊を来たすことは明らかであり、この点もやはり深刻な問題となってきている。
【０００５】
したがって、本発明の目的は、屋外グランド又はコートを再生（改良）するに当たり、その屋外グランド類から掘削した現場土を、廃棄処分しないで有効に再利用する自然環境に優れた屋外グランド類のリニューアル工法を提供することにある。
【０００６】
【課題を解決するための手段】
前記課題を解決するための手段として、請求項１記載の発明に係る屋外グランド類のリニューアル工法は、
ａ）  屋外グランド１又はコートの再生すべき領域２の現場土３を掘削する工程（図１、図２参照）と、
ｂ）  前記掘削した現場土３に対し、水溶性のアクリル樹脂から成る改良剤と生石灰やセメント等から成る固化剤を添加すると共に、当該掘削現場土は透水保水性能を確保できる粒状にして強度を向上させて再生し、この強度を向上させた再生現場土４を、屋外グランド１又はコートの前記再生領域２に戻して転圧する工程（図５参照）と、
ｃ）  前記再生領域２に戻した再生現場土４の上面に、焼成混合土又は微粒子調整緑色スクリーニングス等で構成される表層部材を敷き込み、転圧して表層部５を形成し、表面処理を行って現場土を再生する工程と（図６参照）より成ることをそれぞれ特徴とする。
【０００７】
【発明の実施の形態】
請求項１記載の発明の屋外グランド類のリニューアル工法は、経年使用により損傷した屋外グランド又はコートを改良してリニューアル（再生）する際に好適に実施される。以下、屋外のグランドの実施形態を例に説明し、屋外のコートについては説明を省略するが、屋外コートについても下記屋外グランドの要領で同様に実施される。
【０００８】
図１は、屋外グランド１において、リニューアル（再生）すべき範囲・深さの領域２と、その再生領域２の現場土３の範囲を示している。
【０００９】
図２は、前記図１に示したような再生領域２の現場土３を掘削し、当該掘削現場土３を図示を省略した遠隔地のプラントに搬送した工程を示している。但し、以下の作業をリニューアルするグランド１の施工現場（近傍）にプラントを移動して施工してもよい。
【００１０】
図３は、再生した再生現場土４を図２の再生領域２に戻した工程を示している。すなわち、プラントに搬送された掘削現場土３は、改良剤と固化剤を添加して強度を向上させた再生現場土４として再生する。この改良剤としては水溶性のアクリル樹脂が、固化剤としては生石灰及び／又はセメント等が好適に使用される（請求項１）。また、この掘削現場土３は、透水保水性能を確保できるように、粒状（例えば１３ｍｍ以下の粒状）の再生現場土４に通常再生して使用する形態で実施される。かくして、掘削現場土３は、強度が増強された粒状の再生現場土４として再生される。前記要領で再生した再生現場土４を、屋外グランド１における上記再生領域２に戻して転圧処理を行う。
【００１１】
図４は、最終的に表面処理を行って現場土３を再生した工程を示している。すなわち、前記図３に図示した如く再生領域２に戻した再生現場土４の上面に対し、表面処理（ＮＳバインダー又はＮＳバインダーＤＣ０．５ｋｇ／ｍ２）を施して表面部６を形成する。なお、不足分の土を補うために、必要最小限の新たな良質の土を補充することも必要に応じ好適に実施される（図示は省略、以下の実施形態において同じ）。
【００１２】
したがって、本実施形態によれば、再生すべき屋外グランド１から掘削した現場土３に対し、必要最小限の改良剤と固化剤を添加し形成することによって、強度が向上された耐久性ある屋外グランド１に簡便にリニューアルすることができる。
【００１３】
しかも、再生現場土４は粒状に形成して使用されるから、透水・保水が極めて良好な透水保水層としてリニューアルされ、雨水の吸収性、保水性能を高めることができる。この粒状の再生現場土４より成る透水保水層に貯まる水分は、毛細管現象によって屋外グランド１の表面に上昇し、湿気をグランド１の全面に漂わせ、スポーツ競技者に疲労感を減少させて爽快感を与え、防塵対策にも資することができる。
【００１４】
次に、請求項１記載の発明の屋外グランド類のリニューアル工法に関する実施形態を図面にしたがって説明する。
【００１５】
本実施形態において、屋外グランド１の再生領域２の現場土３を掘削する工程（図１、２）と、プラントで前記掘削した現場土３に対し改良剤と固化剤を添加して強度を向上させ、粒状に形成して再生する工程は、前記実施形態と同じである。
【００１６】
次に図５に示したように、前記の如く強度を向上させた再生現場土４を、再生領域２の上層が少し足りない程度に再生領域２に戻し、転圧処理を行う。
【００１７】
そして図６に示したように、前記再生領域２に戻した再生現場土４の上面に、表層部材を敷き込み転圧して表層部５を形成し、表面処理を行って表面部６を形成することにより現場土３を再生する。
【００１８】
本実施形態の表層部５を形成する表層部材としては、焼成混合土又は微粒子調整緑色スクリーニングスが好適である。但し、この表層部５を形成する表層部材としては、これら焼成混合土等の限りでなく、図示を省略した様々な部材が適宜使用される。
【００１９】
異なる実施形態を図面にしたがって説明する。
【００２０】
本実施形態も、上述した実施形態と同様に、まず屋外グランド１の再生領域２の現場土３を掘削する（図１、２）。次に、その掘削現場土３をプラントに搬送し、掘削現場土３のうち石やガラス等の危険物が入っていない良質の現場土３ａを分別して保管する。そして、残る掘削した現場土３に対し、改良剤と固化剤を添加して強度を向上させると共に、粒状に再生する。その強度を向上させた再生現場土４を、再生領域２の上層が少し足りない程度に再生領域２に戻し、転圧処理を行う（図５）。
【００２１】
次に図７に示したように、前記再生領域２に戻した再生現場土４の上面に、分別しておいた良質の現場土３ａを敷き込み、表面処理を行い表層部６を形成して現場土３を再生するものである。したがって、本実施形態によれば、ガラス等の危険物が入っていない良質の現場土３ａが上面に覆われるので、使用上極めて良好な屋外グランド１にリニューアルすることができる。
【００２２】
【発明の効果】
請求項１記載の発明の屋外グランド類のリニューアル工法によれば、経年使用によって損傷した屋外グランドやコートを補修して再生するに当たり、その屋外グランド類から掘削した現場土を、廃棄処分することなく、強度を向上させリニューアルして再利用するので、限りある地球資源の再利用（リサイクル）が達成される。したがって、不法投棄問題も起きず自然環境に優れて地球にやさしい上、現場土の有効利用によって施工コストの低廉化にも寄与する。
【００２３】
また、掘削現場土を粒状の再生現場土に再生して使用するので、透水及び保水性に優れた透水保水層を形成する利点を併有している。
【００２４】
さらに、掘削現場土の改良剤として水溶性のアクリル樹脂を、固化剤として生石灰やセメント等を使用するので、強度が向上された高品質の屋外グランドやコートの施工が実現される。
【図面の簡単な説明】
【図１】屋外グランドにおける再生領域を示した断面図である。
【図２】再生領域の現場土を掘削した状態を示した断面図である。
【図３】再生現場土を再生領域に戻した状態を示した断面図である。
【図４】表面処理をして現場土のリニューアルが完了した状態を示した断面図である。
【図５】本実施形態の中間処理工程を示した断面図である。
【図６】本実施形態の最終工程を示した断面図である。
【図７】異なる実施形態の最終工程を示した断面図である。
【符号の説明】
１      屋外グランド
２      再生領域
３      現場土
３ａ
良質の現場土
４      再生現場土
５      表層部
６      表面部
【図１】
0003600934.tif 000002
【図２】
0003600934.tif 000003
【図３】
0003600934.tif 000004
【図４】
0003600934.tif 000005
【図５】
0003600934.tif 000006
【図６】
0003600934.tif 000007
【図７】
0003600934.tif 000008